(57)【要約】【課題】既存の壁付式キッチンとは逆向きに新たなキッチンを施工するリフォーム工事を容易に且つ短工期で行えるようにする。【解決手段】キッチン反転化ユニット１は、第１壁面Ｗ１に沿って自立する収納ユニット２０と、該収納ユニット２０とキッチン２とに跨がるように設けられる配管ユニット３０と、キッチン２の背面２ａに取り付けられる第１壁面Ｗ１に平行な化粧パネルからなり、前面に換気フード７０が取り付けられる第１背面パネル１１と、排気通路４０ａを内包するダクトユニット４０とを備えている。収納ユニット２０と配管ユニット３０とを、第１壁面Ｗ１側からキッチン２へＬ字状に延びる配管６１〜６４を覆い隠すように構成する。また、ダクトユニット４０を、第１背面パネル１１と収納ユニット２０とに架け渡されて横架材として機能するように構成する。【選択図】図２
2020103583.tif 000002
【特許請求の範囲】
【請求項１】
第１壁面と第２壁面とで区画される隅角空間に、背面が上記第１壁面に当接する既存の壁付式キッチンとは逆向きに新たなキッチンを設置するためのキッチン反転化ユニットであって、
上記第１壁面に沿って自立し、上記第１壁面側から上記キッチンへ上記第１及び第２壁面に沿ってＬ字状に延びる配管の上記第１壁面側の一端部を含むＬ字状の第１部分が挿通又は内蔵されて該第１部分を覆い隠す収納ユニットと、
上記収納ユニットと上記キッチンとに跨がるように設けられ、上記配管の上記第１部分に連続する第２部分が挿通又は内蔵されて該第２部分を覆い隠す配管ユニットと、
上記キッチンの背面に取り付けられ、該キッチン側の前面に換気フードが取り付けられる上記第１壁面に平行な化粧パネルからなる第１背面パネルと、
上記換気フードに繋がる排気通路を内包し、上記第１背面パネルと上記収納ユニットとに架け渡されて横架材として機能するように構成されたダクトユニットとを備えている
ことを特徴とするキッチン反転化ユニット。
【請求項２】
請求項１において、
上記第１背面パネルよりも高さの低い化粧パネルからなり、上記第１背面パネルに隣接するように上記キッチンの背面に取り付けられる第２背面パネルと、
上記第２背面パネルと等しい高さの化粧パネルからなり、上記第２背面パネルに隣接するように上記キッチンの背面に取り付けられる第３背面パネルとを備え、
上記キッチンの背面は、上記第１〜第３背面パネルによって覆われている
ことを特徴とするキッチン反転化ユニット。
【請求項３】
請求項２において、
上記第２背面パネルは、上記キッチン側の前面において両端が開口する電気配線の挿通路が内部に形成された機能パネルによって構成されている
ことを特徴とするキッチン反転化ユニット。
【請求項４】
請求項３において、
上記挿通路の一端は、上記キッチンの上面よりも上方に位置し、上記挿通路の他端は、上記キッチンの上面よりも下方に位置している
ことを特徴とするキッチン反転化ユニット。
【請求項５】
請求項３又は４において、
上記挿通路は、上記機能パネルに複数形成されている
ことを特徴とするキッチン反転化ユニット。
【請求項６】
請求項１乃至５のいずれか１つにおいて、
上記第１背面パネルは、少なくとも上記キッチン側の前面が不燃材又は難燃材で構成されたパネルである
ことを特徴とするキッチン反転化ユニット。
【請求項７】
請求項１〜６のいずれか１つにおいて、
上記第１背面パネルは、上記第１背面パネルは、上記キッチンに取り付けられる下側パネルと、下端部が該下側パネルの上端部に連結され、上端部が天井に取り付けられる上側パネルとによって構成されている
ことを特徴とするキッチン反転化ユニット。
【請求項８】
請求項１乃至７のいずれか１つにおいて、
上記ダクトユニットは、上記換気フードに接続される排気ダクトを覆い隠すと共に支持するダクトカバーであり、
上記ダクトカバーには、ダウンライトが内蔵されている
ことを特徴とするキッチン反転化ユニット。
【請求項９】
請求項１乃至８のいずれか１つにおいて、
上記収納ユニットは、
上記第１背面パネルに対応するように設けられ、少なくとも家電を収納可能に構成された上記キッチンよりも幅狭の家電収納ユニットと、
上記家電収納ユニットの側方に設けられ、前面が開口して冷蔵庫を収容可能に構成された箱状の冷蔵庫ユニットとを有している
ことを特徴とするキッチン反転化ユニット。
【発明の詳細な説明】
【技術分野】
【０００１】
本発明は、既存の壁付式キッチンとは逆向きに新たなキッチンを施工するためのキッチン反転化ユニットに関するものである。
【背景技術】
【０００２】
以前より、住宅等のキッチンのリフォームに際し、キッチンの向きを反転させることがある。例えば、下記の特許文献１には、壁付式キッチンから対面式キッチンへのリフォーム手法が開示されている。
【０００３】
特許文献１では、既存の壁付式キッチンを除去し、露出した種々の配管に新たな配管を接続し、接続した配管を床下に通して新たな対面式キッチンに接続している。また、特許文献１では、床上に露出した既存の配管を、天板と側面板と正面板とを壁に打ち付けて形成したスペースユニットで覆い隠して美観を向上させている。
【先行技術文献】
【特許文献】
【０００４】
【特許文献１】特開２０１２−１５７７０７号公報
【発明の概要】
【発明が解決しようとする課題】
【０００５】
しかしながら、特許文献１のリフォーム手法では、新たな対面式キッチンに給排水管等の種々の配管を接続するために、床材を取り外し、配管を移設し、再び床材を施工する造作工事が必要になる。また、床上に露出した配管を覆い隠すスペースユニットを製作する造作工事も必要となる。さらに、壁付式キッチンから対面式キッチンへ変更するには、排気ルートも移動させる必要があり、天井材を取り外し、排気ダクトを配設し、再び天井材を施工する造作工事も必要になる。よって、従来のリフォーム手法では、既存の壁付式キッチンとは逆向きに新たなキッチンを設置するリフォーム工事を容易に且つ短工期で行うことができなかった。
【０００６】
本発明は斯かる点に鑑みてなされたもので、その目的は、既存の壁付式キッチンとは逆向きに新たなキッチンを施工するリフォーム工事を容易に且つ短工期で行えるようにすることにある。
【課題を解決するための手段】
【０００７】
上記の目的を達成するために、本発明では、既存の壁付式キッチンとは逆向きに新たなキッチンを設置する際に、既存の壁付式キッチンが設置された隅角空間に、複数のユニットを設置するだけで、床材や天井材を取り外す等の造作工事を行うことなく配管や排気ダクトを覆い隠せるキッチン反転化ユニットを提供することとした。
【０００８】
具体的には、第１の発明は、第１壁面と第２壁面とで区画される隅角空間に、背面が上記第１壁面に当接する既存の壁付式キッチンとは逆向きに新たなキッチンを設置するためのキッチン反転化ユニットであって、上記第１壁面に沿って自立し、上記第１壁面側から上記キッチンへ上記第１及び第２壁面に沿ってＬ字状に延びる配管の上記第１壁面側の一端部を含むＬ字状の第１部分が挿通又は内蔵されて該第１部分を覆い隠す収納ユニットと、上記収納ユニットと上記キッチンとに跨がるように設けられ、上記配管の上記第１部分に連続する第２部分が挿通又は内蔵されて該第２部分を覆い隠す配管ユニットと、上記キッチンの背面に取り付けられ、該キッチン側の前面に換気フードが取り付けられる上記第１壁面に平行な化粧パネルからなる第１背面パネルと、上記換気フードに繋がる排気通路を内包し、上記第１背面パネルと上記収納ユニットとに架け渡されて横架材として機能するように構成されたダクトユニットとを備えていることを特徴とするものである。
【０００９】
第１の発明では、キッチン反転化ユニットが、第１壁面に沿って自立する収納ユニットと、収納ユニットとキッチンとに跨がるように設けられる配管ユニットとを備えている。そして、既設の配管と新たなキッチンとを接続するために、第１壁面側から第１及び第２壁面に沿ってＬ字状に延びる配管が、収納ユニットと配管ユニットとによって覆い隠されるように、収納ユニットと配管ユニットとを構成することとした。そのため、既存の壁付式キッチンとは逆向きに新たなキッチンを施工するリフォームに上記キッチン反転化ユニットを用いることにより、床材を取り外し、新たな配管を配設した後、取り外した床材を取り付ける等の造作工事を行うことなく、第１壁面に沿って自立する収納ユニットと、収納ユニットとキッチンとに跨がる配管ユニットとを設置するだけで新たなキッチンに種々の配管を容易に接続することができる。
【００１０】
また、第１の発明では、上記キッチン反転化ユニットが、キッチンの背面に取り付けられる第１壁面に平行な板状部材からなり、キッチン側の前面に換気フードが取り付けられる第１背面パネルと、上記換気フードに繋がる排気通路を内包するダクトユニットとを備えている。そして、上記キッチン反転化ユニットでは、ダクトユニットが、キッチンの背面に取り付けられる第１背面パネルと、壁付式キッチンの設置位置において自立する収納ユニットとに架け渡されて横架材として機能するように構成されている。このように第１背面パネルと収納ユニットとダクトユニットとを接合して門形ラーメン構造とすることにより、換気フードの荷重が、第１背面パネルだけでなく、第１背面パネルと収納ユニットとダクトユニットとで支持されることとなる。そのため、換気フードが取り付けられる第１背面パネルの薄形化を図ることができる。また、第１背面パネルの薄形化により、キッチン空間をコンパクトに形成することができる。
【００１１】
また、第１の発明では、第１背面パネルと収納ユニットとにダクトユニットを架け渡して固定するだけで、天井材を取り外し、天井裏に排気ダクトを配設した後、取り外した天井材を取り付ける等の造作工事を行うことなく、容易に新たなキッチンのための排気ルートを確保することができる。
【００１２】
以上のように、第１の発明によれば、既存の壁付式キッチンが設置された隅角空間に、収納ユニットと配管ユニットと第１背面パネルとダクトユニットとを設置するだけで、床材や天井材を取り外す等の造作工事を行うことなく、既存の壁付式キッチンとは逆向きに新たなキッチンを設置することができる。従って、上記キッチン反転化ユニットを用いることにより、既存の壁付式キッチンとは逆向きに新たなキッチンを施工するリフォーム工事を容易に且つ短工期で行うことができる。
【００１３】
第２の発明は、第１の発明において、上記第１背面パネルよりも高さの低い化粧パネルからなり、上記第１背面パネルに隣接するように上記キッチンの背面に取り付けられる第２背面パネルと、上記第２背面パネルと等しい高さの化粧パネルからなり、上記第２背面パネルに隣接するように上記キッチンの背面に取り付けられる第３背面パネルとを備え、上記キッチンの背面は、上記第１〜第３背面パネルによって覆われていることを特徴とするものである。
【００１４】
第２の発明では、第１背面パネルよりも高さの低い化粧パネルからなる第２及び第３背面パネルを、キッチンの背面に取り付け、第１〜第３背面パネルによってキッチンの背面を覆うようにした。これにより、新たなキッチンを対面式キッチンとして用いることができる。つまり、第２の発明によれば、上記キッチン反転化ユニットを用いることにより、容易に且つ短工期で、既存の壁付式キッチンとは逆向きに新たな対面式キッチンを施工することができる。
【００１５】
第３の発明は、第２の発明において、上記第２背面パネルは、上記キッチン側の前面において両端が開口する電気配線の挿通路が内部に形成された機能パネルによって構成されていることを特徴とするものである。
【００１６】
ところで、通常、給湯器の操作パネル、照明のスイッチ、キッチン備え付けの食洗機の操作パネル等の操作機器や電源コンセントがキッチン付近に設けられている。そのため、キッチンを施工する際には、キッチンを組み立てる等の大工工事の他、電気配線を施す電気工事が必要となる。また、電気配線の挿通路を形成する等の大工工事と電気工事とは、作業者が別であるにも拘わらず、連携して行う必要がある。そのため、作業者の都合によって工期が長くなるおそれがあった。
【００１７】
そこで、第３の発明では、第２背面パネルを、電気配線の挿通路が内部に形成された機能パネルで構成することとした。そのため、キッチン及び各背面パネルの組み立て時に電気配線用の穴や通路を加工することなく、所定の位置に電気配線の挿通路を確保することができる。また、機能パネルの設置前に挿通路に電気配線又は呼び線を挿通させておけば、機能パネルを設置するだけで電気配線又は呼び線も所定の位置に配することができるため、後に行う配線作業の手間を削減して配線作業を容易に行うことができる。従って、第３の発明によれば、新たなキッチンの施工工期を短縮することができる。
【００１８】
第４の発明は、第３の発明において、上記挿通路の一端は、上記キッチンの上面よりも上方に位置し、上記挿通路の他端は、上記キッチンの上面よりも下方に位置していることを特徴とするものである。
【００１９】
第４の発明では、挿通路がキッチンの上面の上方から下方に亘って形成されているため、キッチンの内部に配された電気配線をキッチンの上方の位置まで容易に引き出すことができる。そのため、第４の発明によれば、給湯器の操作パネル、照明のスイッチ、キッチン備え付けの食洗機の操作パネル等の操作機器や電源コンセントを容易に機能パネルに取り付けることができる。
【００２０】
第５の発明は、第３又は第４の発明において、上記挿通路は、上記機能パネルに複数形成されていることを特徴とするものである。
【００２１】
第５の発明では、複数の電気機器の操作機器や電源コンセントを機能パネルに取り付けることができる。
【００２２】
第６の発明は、第１乃至第５のいずれか１つの発明において、上記第１背面パネルは、少なくとも上記キッチン側の前面が不燃材又は難燃材で構成されたパネルであることを特徴とするものである。
【００２３】
第６の発明では、コンロの上方に設けられる換気フードが取り付けられた第１背面パネルを、少なくとも前面が不燃材又は難燃材で構成されたパネルで構成することとした。これにより、コンロ周辺の防火性能を高めることができる。
【００２４】
第７の発明は、第１乃至第６のいずれか１つの発明において、上記第１背面パネルは、上記第１背面パネルは、上記キッチンに取り付けられる下側パネルと、下端部が該下側パネルの上端部に連結され、上端部が天井に取り付けられる上側パネルとによって構成されていることを特徴とするものである。
【００２５】
第７の発明では、天井まで延ばした第１背面パネルを、大きな１枚のパネルで構成するのではなく、２枚のパネルを連結させて用いることとしている。部材が大きすぎると、取り付け時に一人で支持できず、複数人で支持する必要が生じるが、上記構成によれば、搬入作業及び施工作業を一人で容易に行うことができる。
【００２６】
第８の発明は、第１乃至第７のいずれか１つの発明において、上記ダクトユニットは、上記換気フードに接続される排気ダクトを覆い隠すと共に支持するダクトカバーであり、上記ダクトカバーには、ダウンライトが内蔵されていることを特徴とするものである。
【００２７】
ところで、第１背面パネルと収納ユニットとに亘るダクトユニットを設けると、ダクトユニットの影によって下方での作業がし辛くなるおそれがある。
【００２８】
そこで、第８の発明では、第１背面パネルと収納ユニットとに架け渡されたダクトユニットにダウンライトを内蔵させることとした。これにより、ダクトユニットを設けても明るい作業空間を形成することができる。
【００２９】
第９の発明は、第１乃至第８のいずれか１つの発明において、上記収納ユニットは、上記第１背面パネルに対応するように設けられ、少なくとも家電を収納可能に構成された上記キッチンよりも幅狭の家電収納ユニットと、上記家電収納ユニットの側方に設けられ、前面が開口して冷蔵庫を収容可能に構成された箱状の冷蔵庫ユニットとを有している
ことを特徴とするものである。
【００３０】
第９の発明では、収納ユニットを、家電や冷蔵庫を収納可能に構成することにより、キッチンで必要な種々の道具や家電を、キッチン空間にコンパクトに納めることができる。
【発明の効果】
【００３１】
以上説明した如く、本発明によると、既存の壁付式キッチンとは逆向きに新たなキッチンを設置する際に、複数のユニットを設置するだけで、床材や天井材を取り外す等の造作工事を行うことなく配管や排気ダクトを覆い隠せるキッチン反転化ユニットを用いることにより、既存の壁付式キッチンとは逆向きに新たなキッチンを設置するリフォーム工事を容易に且つ短工期で行うことができる。
【図面の簡単な説明】
【００３２】
【図１】図１は、本発明の実施形態１のキッチン反転化ユニットを用いて新たなキッチンを設置する前の既存の壁付式キッチンが設置された隅角空間を示す平面図である。
【図２】図２は、本発明の実施形態１のキッチン反転化ユニットと新たなキッチンとが設置された隅角空間を示す斜視図である。
【図３】図３は、本発明の実施形態１のキッチン反転化ユニットと新たなキッチンとが設置された隅角空間を示す平面図である。
【図４】図４は、図３のIV−IV線方向の断面図である。
【図５】図５は、図３のＶ−Ｖ線方向の断面図である。
【図６】図６は、図３のVI−VI線方向の断面図である。
【図７】図７は、図３のVII−VII線方向の断面図である。
【発明を実施するための形態】
【００３３】
以下、本発明の実施形態を図面に基づいて詳細に説明する。以下の実施形態の説明は、本質的に例示に過ぎず、本発明、その適用物或いはその用途を制限することを意図するものでは全くない。
【００３４】
《実施形態１》
実施形態１では、本発明の実施形態の一例として、図１に示すように、第１壁面Ｗ１と第２壁面Ｗ２とで区画された隅角空間Ｓに、背面Ｋｂが第１壁面Ｗ１に当接し、一側面Ｋｓが第２壁面Ｗ２に当接するように設置されていた壁付式キッチンＫを除去し、この壁付式キッチンＫとは逆向きに新たなキッチン２を施工するリフォームに、本発明に係るキッチン反転化ユニット１を適用する例について説明する。
【００３５】
〈キッチン〉
図１に示すように、キッチン２は、背面２ａが壁付けされずにリビングルームＬに対面する対面式キッチンであり、詳細には、側面２ｂが壁付けされるペニンシュラタイプの対面式キッチンである。
【００３６】
図２〜図４に示すように、キッチン２は、フロアキャビネット３とワークトップ４とを備えている。キッチン２は、壁付式キッチン用に設計されたシステムキッチンである。そのため、キッチン２は、前面は化粧材で構成されるものの、背面２ａは化粧材で構成されず、フロアキャビネット３の裏板が露出している。また、キッチン２は、側面２ｂ、２ｃも化粧材で構成されず、フロアキャビネット３の側板が露出している。ワークトップ４には、コンロ５とシンク６とが設けられている。ワークトップ４のコンロ５とシンク６との間の部分は、作業台７に構成されている。
【００３７】
〈キッチン反転化ユニット〉
キッチン反転化ユニット１は、パネルユニット１０と、収納ユニット２０と、配管ユニット３０と、ダクトユニット４０とを備えている。パネルユニット１０は、新たに設けられるキッチン２側に設置される。収納ユニット２０は、壁付式キッチンＫが設置されていた第１壁面Ｗ１側に設置される。配管ユニット３０とダクトユニット４０とは、キッチン２側から第１壁面Ｗ１側に亘るように設置される。
【００３８】
［パネルユニット］
図２〜図５に示すように、パネルユニット１０は、第１背面パネル１１と、第２背面パネル１２と、第３背面パネル１３と、サイドパネル１４とを備えている。パネルユニット１０の各パネル１１〜１４は、表面が化粧材で構成された化粧パネルで構成されている。
【００３９】
第１〜第３背面パネル１１〜１３は、キッチン２の背面２ａ側に設けられている。第１背面パネル１１は、キッチン２のコンロ５が設けられる一端部（第２壁面Ｗ２側の端部）側に設けられ、キッチン２のシンク６が設けられる他端部に向かって、第２背面パネル１２，第３背面パネル１３の順に並んでいる。第１〜第３背面パネル１１〜１３は、キッチン２のワークトップ４の上面から２００〜３００ｍｍ程度上方に突出するように設けられている。図５に示すように、第１〜第３背面パネル１１〜１３により、キッチン２の背面２ａ全面が覆われる。
【００４０】
第１背面パネル１１は、下側パネル１１ａと上側パネル１１ｂとで構成されている。下側パネル１１ａと上側パネル１１ｂとは、大きさが異なるのみで同様に構成されている。下側パネル１１ａと上側パネル１１ｂとは、化粧材で構成された表面のうち、キッチン２側の前面となる面が、不燃材によって構成されている。このように、キッチン２のコンロ５に対応する位置に設けられる第１背面パネル１１は、キッチン２側の前面が不燃材で構成された不燃性を有するパネルで構成されている。
【００４１】
下側パネル１１ａ及び上側パネル１１ｂは、９００ｍｍ幅に形成されている。下側パネル１１ａの高さは、後述する第２背面パネル１２及び第３背面パネル１３の高さと同じ高さ（１１００ｍｍ）である。上側パネル１１ｂは、高さが下側パネル１１ａより高く、１３００ｍｍとなるように形成されている。上側パネル１１ｂは、設置現場の天井高さに応じて、第１背面パネル１１が、床Ｆから天井Ｃに亘って設けられるように、施工時にカットされる。また、上側パネル１１ｂには、前面側に換気フード７０が取り付けられる。
【００４２】
下側パネル１１ａの上端部と上側パネル１１ｂの下端部とは、本実加工が施され、雄実と雌実とを嵌め合わせることによって接合されている。なお、下側パネル１１ａの上端部と上側パネル１１ｂの下端部との接合構造は、いかなるものであってもよく、例えば、下側パネル１１ａの上端面及び上側パネル１１ｂの下端面のそれぞれに対応する溝を設け、この両溝に嵌まる実を形成し、実を両溝に嵌め込んで接合する雇い実継ぎ等によって接合されていてもよい。
【００４３】
第２背面パネル１２は、６００ｍｍ幅に形成されている。また、第２背面パネル１２の高さは、第１背面パネル１１の下側パネル１１ａの高さと同じ高さ（１１００ｍｍ）である。
【００４４】
第２背面パネル１２には、内部に電気配線の挿通路１５が複数（本実施形態１では、２つ）形成されている。挿通路１５は、両端１５ａ，１５ｂが、第２背面パネル１２のキッチン２側の前面において開口している。挿通路１５の上端１５ａは、キッチン２の上面（ワークトップ４の上面）よりも上方に位置し、挿通路１５の下端１５ｂは、キッチン２の上面よりも下方に位置している。挿通路１５は、第２背面パネル１２の内部に穴を形成することによって形成されていてもよく、形成した穴に配管部材を埋め込むことによって形成されていてもよい。挿通路１５の上端１５ａの開口は、電源コンセント、給湯器の操作パネル、照明スイッチ等を設置できるように、９５ｍｍ角に形成されている。このように、キッチン２において作業台７に対応する位置に設けられる第２背面パネル１２は、キッチン２側の前面において両端１５ａ，１５ｂが開口する電気配線の挿通路１５が内部に形成された機能パネルに構成されている。
【００４５】
なお、本実施形態では、第２背面パネル１２の挿通路１５の上端１５ａの開口部分には、第１パネル８１と第２パネル８２とが設けられている。第１パネル８１には、電源コンセント８１ａと照明スイッチ８１ｂとが形成され、第２パネル８２は、給湯器の操作パネルである。各挿通路１５には、第１パネル８１と第２パネル８２とに接続される電気配線が挿通されている。
【００４６】
第２背面パネル１２の側方端部は、これに隣り合う第１背面パネル１１の下側パネル１１ａの側方端部に接合されている。第２背面パネル１２と下側パネル１１ａとの接合構造は、いかなるものであってもよい。例えば、第２背面パネル１２の側面とこれに当接する下側パネル１１ａの側面とにそれぞれ対応する上下方向に延びる溝を形成し、両溝に嵌まる実を別材で構成し、実を両溝に嵌め込んで接着する等により、第２背面パネル１２の側方端部を第１背面パネルの下側パネル１１ａの側方端部に接合することができる。
【００４７】
第３背面パネル１３は、６００ｍｍ幅に形成されている。また、第３背面パネル１３の高さは、第１背面パネル１１の下側パネル１１ａの高さと同じ高さ（１１００ｍｍ）である。
【００４８】
なお、本実施形態では、第３背面パネル１３として、６００ｍｍ幅のパネルを用いているが、第３背面パネル１３として、６００ｍｍ幅、７５０ｍｍ幅及び９００ｍｍ幅の３種類の幅の化粧パネルを用意し、キッチン２の幅に応じて適した幅の化粧パネルを用いる。このように、第３背面パネル１３として３種の幅の化粧パネルを用意することにより、２１００ｍｍ幅、２２５０ｍｍ幅、２４００ｍｍ幅のシステムキッチンにパネルユニット１０を適用することが可能になる。
【００４９】
第３背面パネル１３の側方端部は、これに隣り合う第２背面パネル１２の側方端部に接合されている。第３背面パネル１３と第２背面パネル１２との接合構造は、いかなるものであってもよい。例えば、第３背面パネル１３の側面とこれに対応する第２背面パネル１２の側面とにそれぞれ対応する上下方向に延びる溝を形成し、両溝に嵌まる実を別材で構成し、実を両溝に嵌め込んで接着する等により、第３背面パネル１３の側方端部を第２背面パネル１２の側方端部に接合することができる。
【００５０】
第１背面パネル１１の下側パネル１１ａ、第２背面パネル１２及び第３背面パネル１３は、それぞれフロアキャビネット３にビス等によって固定されると共に、下端部が、キッチン２の背面２ａ側の床Ｆに固定された支持部材１６に固定されている。支持部材１６は、各パネル１１ａ，１２，１３の下端部を床Ｆに固定できるものであればいかなるものであってもよく、Ｃ型チャンネルやＬ型アングル等によって構成される。
【００５１】
また、第１背面パネル１１の上側パネル１１ｂは、上述のように、下端部が下側パネル１１ａの上端部に接合されると共に、上端部が、キッチン２の背面２ａ側の天井Ｃに固定された支持部材１７によって固定されている。支持部材１７は、上側パネル１１ｂの上端部を天井Ｃに固定できるものであればいかなるものであってもよく、Ｃ型チャンネルやＬ型アングル等によって構成される。
【００５２】
第１背面パネル１１の上側パネル１１ｂには、第２壁面Ｗ２に当接する側面とは逆側の側面を覆う笠木１８が取り付けられている。また、第２及び第３背面パネル１２，１３には、両パネル１２，１３の上端面を覆う笠木１９が取り付けられている。
【００５３】
サイドパネル１４は、キッチン２のシンク６側の側面２ｃに取り付けられている。図２に示すように、サイドパネル１４により、キッチン２のシンク６側の側面２ｃ全面が覆われる。
【００５４】
サイドパネル１４は、第３背面パネル１３の第２背面パネル１２に隣接する一端部とは逆側の他端部に、略垂直に接合されている。サイドパネル１４と第３背面パネル１３との接合構造は、いかなるものであってもよい。例えば、サイドパネル１４のキッチン２側の内側面において第３背面パネル１３の側面と当接する後端部に溝を形成する一方、第３背面パネル１３の側面に上記溝に嵌まる実を形成し、実を溝に嵌め込むことによって接合することによって実現できる。
【００５５】
サイドパネル１４は、第１〜第３背面パネル１１〜１３と同様に、キッチン２のワークトップ４の上面から上方に突出するように設けられている。本実施形態では、サイドパネル１４は、後端部の高さが第３背面パネル１３の高さ（１１００ｍｍ）に等しく、後端部から前方へ向かう程、高さが低くなるように形成されている。また、サイドパネル１４は、キッチン２の奥行き６５０ｍｍに対し、７１０ｍｍ幅に形成され、キッチン２のシンク６側の側面２ｃと第３背面パネル１３の側面とを一体的に覆う。
【００５６】
［収納ユニット］
図２，３，６，７に示すように、収納ユニット２０は、壁付式キッチンＫの設置位置において第１壁面Ｗ１に沿うように設けられている。収納ユニット２０は、家電収納ユニット２１と、冷蔵庫ユニット２２とを備えている。家電収納ユニット２１と冷蔵庫ユニット２２とは、それぞれ背面２１ａ，２２ａが第１壁面Ｗ１と対面するように設けられている。家電収納ユニット２１が、第２壁面Ｗ２側に設けられ、冷蔵庫ユニット２２は、家電収納ユニット２１の側方に、互いの側面が当接するように設けられている。家電収納ユニット２１と冷蔵庫ユニット２２とは、それぞれ床Ｆ上で自立するように構成されている。
【００５７】
家電収納ユニット２１は、下段収納部２３と、中段収納部２４と、上段収納部２５とを有している。
【００５８】
下段収納部２３は、幅１２００ｍｍ、高さ８３５ｍｍ、奥行き４５０ｍｍの箱体に構成されている。下段収納部２３の内部空間は、５つの空間に区切られ、４つの引き出しが設けられ、１つはゴミ箱などを収納可能な収容スペースに構成されている。下段収納部２３は、前面が第１壁面Ｗ１から６５０ｍｍ離れ、側面が第２壁面Ｗ２から１５０ｍｍ離れた位置に設けられている。このように設けられることにより、下段収納部２３の背面と第１壁面Ｗ１との間には２００ｍｍ間隔の隙間が形成され、下段収納部２３の側面と第２壁面Ｗ２との間には１５０ｍｍ間隔の隙間が形成される。
【００５９】
中段収納部２４は、幅１３５０ｍｍ、高さ４６５ｍｍ、奥行き４５０ｍｍの前面が開口した箱体に構成されている。中段収納部２４は、前面と冷蔵庫ユニット２２側の側面の位置が、下段収納部２３の前面と冷蔵庫ユニット２２側の側面と揃うように下段収納部２３上に配置され、該下段収納部２３に固定されている。このように設けられることにより、中段収納部２４の背面と第１壁面Ｗ１との間には、下段収納部２３と同様に、２００ｍｍ間隔の隙間が形成される。一方、中段収納部２４は、下段収納部２３に比べ、幅が１５０ｍｍ大きい。そのため、中段収納部２４の側面と第２壁面Ｗ２との間には隙間が形成されない。中段収納部２４の背面には、電気コンセント２４ａが組み込まれている。このように構成することにより、電子レンジ、電気ポット、炊飯器等の電化製品の収納が可能になる。
【００６０】
上段収納部２５は、幅１２００ｍｍ、高さ７００ｍｍ、奥行き４５０ｍｍの箱体に構成されている。上段収納部２５の内部空間は、４つの空間に区切られ、４つの戸棚収納部に構成されている。上段収納部２５は、前面が第１壁面Ｗ１から６５０ｍｍ離れ、側面が第２壁面Ｗ２から１５０ｍｍ離れるように中段収納部２４上に配置され、該中段収納部２４に固定されている。このように設けられることにより、上段収納部２５の背面と第１壁面Ｗ１との間には２００ｍｍ間隔の隙間が形成され、上段収納部２５の側面と第２壁面Ｗ２との間には１５０ｍｍ間隔の隙間が形成される。
【００６１】
以上のように、下段収納部２３に中段収納部２４が固定され、該中段収納部２４に上段収納部２５が固定されることにより、家電収納ユニット２１は、床Ｆ上で自立している。なお、家電収納ユニット２１は、自立する構成ではあるが、振れ留め金具等を用いて第１壁面Ｗ１及び第２壁面Ｗ２と連結することとしてもよい。
【００６２】
また、下段収納部２３，中段収納部２４及び上段収納部２５は、前面がそれぞれ第１壁面Ｗ１から６５０ｍｍ離れた位置に設けられている。そのため、家電収納ユニット２１の背面２１ａと第１壁面Ｗ１との間には、２００ｍｍ幅の第１空間５１が形成される。また、下段収納部２３は、側面が第２壁面Ｗ２から１５０ｍｍ離れた位置に設けられることにより、側面と第２壁面Ｗ２との間に１５０ｍｍ幅の第２空間５２が形成される。
【００６３】
なお、上段収納部２５の側面と第２壁面Ｗ２との間にも１５０ｍｍ幅の空間が形成されるが、この空間は、板状のカバー部材２６によって前面が閉塞されている。
【００６４】
また、家電収納ユニット２１は、下段収納部２３と中段収納部２４と上段収納部２５とにより、２０００ｍｍの高さに構成され、家電収納ユニット２１の上面と天井Ｃとの間には、３００ｍｍ程度の空間が形成される。この空間には、カバー部材２９と後述するダクトユニット４０とが設けられる。ダクトユニット４０は、第２壁面Ｗ２側に設けられている。カバー部材２９は、Ｌ字状の板状体であり、ダクトユニット４０の側方において上記空間の前方及び側方を閉塞する。
【００６５】
冷蔵庫ユニット２２は、冷蔵庫カバー２７と支持台部２８とを有している。冷蔵庫カバー２７は、冷蔵庫Ｒの背面、両側面及び上面を覆うものである。支持台部２８は、冷蔵庫Ｒを底上げするためのものであり、冷蔵庫カバー２７の内部に設けられている。
【００６６】
冷蔵庫カバー２７は、幅７００ｍｍ、高さ２０００ｍｍ、奥行き６００ｍｍの前面及び下面が開口した箱体に構成されている。冷蔵庫カバー２７は、一方の側面が家電収納ユニット２１の側面に当接し、家電収納ユニット２１にビス等で固定される。冷蔵庫カバー２７は、背面が第１壁面Ｗ１と５０ｍｍの間隔を開けて対面するように設置される。また、図示を省略しているが、冷蔵庫カバー２７の背面には、冷蔵庫の電源プラグを接続するための電気コンセントが取り付けられている。さらに、冷蔵庫カバー２７は、家電収納ユニット２１と逆側の側面が、背面から後方に５０ｍｍ幅で突出するように構成されている。このような側面により、家電収納ユニット２１と第１壁面Ｗ１との間に形成される後述する第３空間５３が覆い隠される。
【００６７】
支持台部２８は、下面と背面が開口した箱体に構成されている。支持台部２８は、冷蔵庫カバー２７内に収容され、冷蔵庫カバー２７にビス等で固定される。
【００６８】
以上のように構成された冷蔵庫ユニット２２は、床Ｆ上で自立している。また、冷蔵庫ユニット２２は、冷蔵庫カバー２７の背面が第１壁面Ｗ１と５０ｍｍの間隔を開けて対面するように設けられている。そのため、冷蔵庫ユニット２２の背面２２ａと第１壁面Ｗ１との間には、５０ｍｍ幅の第３空間５３が形成される。
【００６９】
以上のような構成により、収納ユニット２０が設置されると、該収納ユニット２０と第１及び第２壁面Ｗ１，Ｗ２との間には、上述の第１〜第３空間５１〜５３が形成される。この第１〜第３空間５１〜５３により、既存の種々の配管と新たなキッチン２とを接続する各接続管６１〜６４の一部が挿通される挿通空間５０が形成される。
【００７０】
ところで、既存の壁付式キッチンＫから対面式のキッチン２へのリフォームに際し、壁付式キッチンＫに接続されていた既存の給湯管、給水管、ガス管及び排水管等を、新たなキッチン２の設置位置まで延長しなければならない。そこで、本実施形態では、第１壁面Ｗ１付近において、壁付式キッチンＫに接続されていた既存の種々の配管（給湯管、給水管、ガス管及び排水管）と新たなキッチン２とを、接続管（給湯管６１、給水管６２、ガス管６３及び排水管６４）でそれぞれ接続している。各接続管６１〜６４は、第１壁面Ｗ１側から第１及び第２壁面Ｗ１，Ｗ２に沿ってＬ字状に延ばされ、キッチン２に接続されている。
【００７１】
上記挿通空間５０には、上記各接続管６１〜６４の第１壁面Ｗ１側の一端部（既存の配管との接続部）を含むＬ字状の一部（第１部分）が挿通される。この各接続管６１〜６４の第１部分は、収納ユニット２０と第１及び第２壁面Ｗ１，Ｗ２との間に形成されたＬ字状の挿通空間５０に挿通されることにより、収納ユニット２０によって覆い隠されることとなる。なお、図示を省略しているが、挿通空間５０には、第２背面パネル１２に取り付けられる第１及び第２パネル８１，８２に接続される電気配線も挿通されている。
【００７２】
［配管ユニット］
図２〜４，６，７に示すように、配管ユニット３０は、前面パネル３１と上面パネル３２とをＬ字状に接合したカバー部材によって構成されている。
【００７３】
前面パネル３１は、中央に凹部３１ａを有する１１００ｍｍ×８２０ｍｍの板状部材であり、第２壁面Ｗ２に平行に設けられている。凹部３１ａは、６００ｍｍ×４００ｍｍの矩形状に形成され、深さが１３０ｍｍ程度に形成されている。凹部３１ａは、壁面収納部となる。
【００７４】
上面パネル３２は、１１００ｍｍ×１５０ｍｍの板状部材であり、前面パネル３１の上端部に接合されている。
【００７５】
このような前面パネル３１と上面パネル３２とにより、配管ユニット３０は、１１００ｍｍ×８２０ｍｍ×１５０ｍｍの大きさに形成されている。
【００７６】
配管ユニット３０は、収納ユニット２０とキッチン２とに跨がるように設けられている。具体的には、配管ユニット３０は、一端部が収納ユニット２０の第２空間５２に挿入され、他端部がキッチン２のコンロ横空間に挿入されることにより、収納ユニット２０とキッチン２とに跨がるように設けられている。
【００７７】
なお、第２空間５２は、収納ユニット２０の下段収納部２３と第２壁面Ｗ２との間に形成され、幅が１５０ｍｍで高さと奥行きが下段収納部２３に等しい（高さ８３５ｍｍ、奥行き４５０ｍｍ）空間である。また、コンロ横空間は、消防法でコンロ５を第２壁面Ｗ２から１５０ｍｍ以上離して設置することが定められているために形成され、幅１５０ｍｍ、高さ８２０ｍｍ、奥行き４５０ｍｍの空間である。
【００７８】
以上のように構成された配管ユニット３０は、第２壁面Ｗ２との間に第４空間５４を形成する。第４空間５４には、各接続管６１〜６４のうち収納ユニット２０とキッチン２との間に設けられる一部であって上記第１部分に連続する第２部分が挿通される。このような構成により、各接続管６１〜６４の第１部分に連続する第２部分は、配管ユニット３０によって覆い隠されることとなる。つまり、各接続管６１〜６４は、収納ユニット２０と配管ユニット３０とによって覆い隠されることとなる。なお、図示を省略しているが、第４空間５４には、第２背面パネル１２に取り付けられる第１及び第２パネル８１，８２に接続される電気配線の一部分も挿通されている。
【００７９】
［ダクトユニット］
本実施形態では、既存の壁付式キッチンＫから対面式のキッチン２へのリフォームに際し、第１壁面Ｗ１に形成された既存の排気口と、第１背面パネル１１の上部（上側パネル１１ｂ）に取り付けられた換気フード７０とを接続する排気ダクト６５を設けることにより、新たな排気経路を確保している。
【００８０】
図２〜４，６，７に示すように、ダクトユニット４０は、この排気ダクト６５を覆うダクトカバー４１によって構成されている。ダクトカバー４１は、断面矩形の筒状に形成されている。ダクトカバー４１の下面には、排気ダクト６５と換気フード７０との接続部分を挿通させるための挿通穴４１ａが形成されている。
【００８１】
ダクトカバー４１は、第１背面パネル１１と収納ユニット２０とに架け渡されて横架材として機能するように構成されている。ダクトカバー４１は、第１背面パネル１１から収納ユニット２０に達する長さに形成されている。ダクトカバー４１は、一端部が収納ユニット２０の家電収納ユニット２１の上面に固定され、他端部が第１背面パネル１１の上側パネル１１ｂに固定されている。このようにダクトカバー４１が、第１背面パネル１１と家電収納ユニット２１とに接合されることにより、ダクトカバー４１と第１背面パネル１１と家電収納ユニット２１とが門形ラーメン構造となる。このような構成により、ダクトユニット４０は、換気フード７０に繋がる排気通路４０ａ（排気ダクト６５内の通路）を内包し、第１背面パネル１１と収納ユニット２０とに架け渡されて横架材として機能するものとなる。
【００８２】
また、ダクトカバー４１には、ダウンライト４２が内蔵されている。ダウンライト４２は、ダクトカバー４１の長手方向の中程（一端部と他端部との間）に取り付けられている。ダウンライト４２は、第２背面パネル１２に取り付けられた照明スイッチ８１ｂに接続され、該照明スイッチ８１ｂに入力される操作に基づき、点灯及び消灯するように構成されている。なお、図示を省略しているが、ダウンライト４２と照明スイッチ８１ｂとは、ダクトカバー４１、第１空間５１、第２空間５２、第４空間５４、フロアキャビネット３の内部、第２背面パネル１２の挿通路１５を順に通過する電気配線によって接続される。
【００８３】
−リフォーム手順の一例−
以下、キッチン反転化ユニット１を用いた壁付式キッチンＫから対面式のキッチン２へのリフォーム手順の一例を説明する。
【００８４】
まず、壁付式キッチンＫを除去する。その後、壁付式キッチンＫに接続されていた既存の種々の配管（給湯管、給水管、ガス管及び排水管）に接続管（給湯管６１、給水管６２、ガス管６３及び排水管６４）を接続する。そして、各接続管６１〜６４を、第１壁面Ｗ１側から第１及び第２壁面Ｗ１，Ｗ２に沿ってキッチン２の設置位置までＬ字状に延ばす。
【００８５】
次に、パネルユニット１０及びキッチン２を組み立てる。まず、キッチン２の背面２ａ側の床Ｆに支持部材１６を固定し、キッチン２の背面２ａ側の天井Ｃに支持部材１７を固定する。そして、第１〜第３背面パネル１１〜１３を組み立てる。
【００８６】
第１背面パネル１１から組み立てる。まず、第１背面パネル１１の下側パネル１１ａを設置位置に配置し、下端部を支持部材１７に固定する。次に、第１背面パネル１１の上側パネル１１ｂを取り付ける。上側パネル１１ｂは、下端部を下側パネル１１ａの上端部に接合し、上端部を支持部材１７に固定する。
【００８７】
第１背面パネル１１の設置後、第２背面パネル１２、第３背面パネル１３の順に設置する。第２背面パネル１２は、下端部を支持部材１６に固定し、側方端部を第１背面パネル１１の下側パネル１１ａの側方端部に接合する。第３背面パネル１３は、下端部を支持部材１６に固定し、側方端部を第２背面パネル１２の側方端部に接合する。
【００８８】
ここで、第２背面パネル１２を設置する際には、第１及び第２パネル８１，８２を取り付け、各挿通路１５に第１及び第２パネル８１，８２にそれぞれ接続される電気配線を挿通させておく。なお、第１及び第２パネル８１，８２を取り付けずに、各挿通路１５に呼び線を挿通させておいてもよい。この場合、第２背面パネル１２の設置後に呼び線を用いて電気配線を各挿通路１５に挿通させ、第１及び第２パネル８１，８２と接続し、該第１及び第２パネル８１，８２を第２背面パネル１２に取り付けることとなる。
【００８９】
各挿通路１５に電気配線を挿通させた後、該電気配線を第１壁面Ｗ１側に設けられた既存の電源や各種電気機器に接続できるように、第１壁面Ｗ１付近まで延ばしておく。このとき、これらの電気配線が、後に設置される収納ユニット２０及び配管ユニット３０で覆い隠されるように、上記電気配線が第１及び第２壁面Ｗ１，Ｗ２に沿わせておく。
【００９０】
第１〜第３背面パネル１１〜１３の組立後、キッチン２のフロアキャビネット３を組み立てる。そして、フロアキャビネット３と第１背面パネル１１の下側パネル１１ａ、第２背面パネル１２、第３背面パネル１３をそれぞれビス等で固定する。なお、フロアキャビネット３の組立時に、各接続管６１〜６４にさらに配管を接続して延長し、各配管の端部が接続先（給水栓、ガス栓、排水管）に配置されるようにする。
【００９１】
フロアキャビネット３の組立後、サイドパネル１４を組み立てる。サイドパネル１４は、後端部を第３背面パネル１３の側方端部に接合し、ビス等でフロアキャビネット３に固定する。
【００９２】
サイドパネル１４の組立後、ワークトップ４をフロアキャビネット３の上部に取り付ける。そして、上述の各接続管６１〜６４に接続された配管を、キッチン２の給水栓、ガス栓、排水管に接続する。
【００９３】
パネルユニット１０及びキッチン２の組立後、収納ユニット２０を設置する。まず、家電収納ユニット２１を、背面と第１壁面Ｗ１との間に第１空間５１が形成され、側面と第２壁面Ｗ２との間に第２空間５２が形成されるように設置する。その後、冷蔵庫ユニット２２を、側面が家電収納ユニット２１の側面に当接し、背面と第１壁面Ｗ１との間に第３空間５３が形成されるように設置する。収納ユニット２０を設置する際には、先に配設した各接続管６１〜６４及び電気配線が、第１〜第３空間５１〜５３によって形成されるＬ字状の挿通空間５０に収容されるようにする。
【００９４】
収納ユニット２０の設置後、配管ユニット３０を設置する。配管ユニット３０は、一端部を収納ユニット２０の第２空間５２に挿入し、他端部をキッチン２のコンロ横空間に挿入することにより、収納ユニット２０とキッチン２とに跨がるように設けられる。配管ユニット３０を設置する際には、先に配設した各接続管６１〜６４及び電気配線の収納ユニット２０とキッチン２との間に設けられる一部分が、配管ユニット３０と第２壁面Ｗ２との間に形成される第４空間５４に収容されるようにする。
【００９５】
配管ユニット３０の設置後、第１背面パネル１１に換気フード７０を取り付ける。その後、ダクトユニット４０を設置する。排気ダクト６５を内部に挿通させた状態で、ダクトカバー４１を、第１背面パネル１１と収納ユニット２０とに固定する。具体的には、ダクトカバー４１の一端部を、第１背面パネル１１の換気フード７０の直上に取り付け、排気ダクト６５の一端を換気フード７０に接続する。また、ダクトカバー４１の他端部を、家電収納ユニット２１の上面に固定し、排気ダクト６５の他端を、第１空間５１の上部において開口する排気口に接続する。そして、第１パネル８１の電源コンセント８１ａに接続されて第１空間５１まで延長された電気配線を、ダクトカバー４１内に引き込み、ダウンライト４２に接続する。
【００９６】
以上の手順により、既存の壁付式キッチンＫが設置されていた第１壁面Ｗ１と第２壁面Ｗ２とで区画された隅角空間Ｓに、キッチン反転化ユニット１と対面式のキッチン２とが設置される。
【００９７】
−実施形態１の効果−
本実施形態１では、キッチン反転化ユニット１が、第１壁面Ｗ１に沿って自立する収納ユニット２０と、収納ユニット２０とキッチン２とに跨がるように設けられる配管ユニット３０とを備えている。そして、既設の配管（給湯管、給水管、ガス管及び排水管）と新たなキッチン２とを接続するために、第１壁面Ｗ１側から第１及び第２壁面Ｗ１，Ｗ２に沿ってＬ字状に延びる接続管（給湯管６１、給水管６２、ガス管６３及び排水管６４）が、収納ユニット２０と配管ユニット３０とによって覆い隠されるように、収納ユニット２０と配管ユニット３０とを構成することとした。そのため、既存の壁付式キッチンＫとは逆向きに新たなキッチン２を施工するリフォームに上記キッチン反転化ユニット１を用いることにより、床材を取り外し、新たな配管を配設した後、取り外した床材を取り付ける等の造作工事を行うことなく、自立する収納ユニット２０と第２壁面Ｗ２に沿って収納ユニット２０からキッチン２へ延びる配管ユニット３０とを設置するだけで新たなキッチン２に種々の配管を容易に接続することができる。
【００９８】
また、本実施形態１では、キッチン反転化ユニット１が、キッチン２の背面２ａに取り付けられる第１壁面Ｗ１に平行な板状部材からなり、キッチン２側の前面に換気フード７０が取り付けられる第１背面パネル１１と、上記換気フード７０に繋がる排気通路４０ａを内包するダクトユニット４０とを備えている。そして、上記キッチン反転化ユニット１では、ダクトユニット４０が、キッチン２の背面２ａに取り付けられる第１背面パネル１１と、壁付式キッチンＫの設置位置において自立する収納ユニット２０とに架け渡されて横架材として機能するように構成されている。このように第１背面パネル１１と収納ユニット２０とダクトユニット４０とを接合して門形ラーメン構造とすることにより、換気フード７０の荷重が、第１背面パネル１１だけでなく、第１背面パネル１１と収納ユニット２０とダクトユニット４０とで支持されることとなる。そのため、換気フード７０が取り付けられる第１背面パネル１１の薄形化を図ることができる。また、第１背面パネル１１の薄形化により、キッチン空間をコンパクトに形成することができる。
【００９９】
また、本実施形態１では、第１背面パネル１１と収納ユニット２０とにダクトユニット４０を架け渡して固定するだけで、天井材を取り外し、天井裏に排気ダクトを配設した後、取り外した天井材を取り付ける等の造作工事を行うことなく、容易に新たなキッチン２のための排気ルートを確保することができる。
【０１００】
以上のように、本実施形態１によれば、既存の壁付式キッチンＫが設置された隅角空間Ｓに、収納ユニット２０と配管ユニット３０と第１背面パネル１１とダクトユニット４０とを設置するだけで、床材や天井材を取り外す等の造作工事を行うことなく、既存の壁付式キッチンＫとは逆向きに新たなキッチン２を設置することができる。従って、上記キッチン反転化ユニット１を用いることにより、既存の壁付式キッチンＫとは逆向きに新たなキッチン２を施工するリフォーム工事を容易に且つ短工期で行うことができる。
【０１０１】
また、本実施形態１では、第１背面パネル１１よりも高さの低い化粧パネルからなる第２及び第３背面パネル１２，１３をキッチン２の背面２ａに取り付け、第１〜第３背面パネル１１〜１３によってキッチン２の背面２ａを覆うようにした。これにより、新たなキッチン２を対面式キッチンとして用いることができる。つまり、本実施形態１によれば、上記キッチン反転化ユニット１を用いることにより、容易に且つ短工期で、既存の壁付式キッチンＫとは逆向きに新たな対面式キッチン２を施工することができる。
【０１０２】
ところで、通常、給湯器の操作パネル、照明のスイッチ、キッチン備え付けの食洗機の操作パネル等の操作機器や電源コンセントがキッチン付近に設けられている。そのため、キッチン２を施工する際には、キッチン２を組み立てる等の大工工事の他、電気配線を施す電気工事が必要となる。また、電気配線の挿通路を形成する等の大工工事と電気工事とは、作業者が別であるにも拘わらず、連携して行う必要がある。そのため、作業者の都合によって工期が長くなるおそれがあった。
【０１０３】
そこで、本実施形態１では、第２背面パネル１２を、電気配線の挿通路１５が内部に形成された機能パネルで構成することとした。そのため、キッチン２及び各背面パネル１１〜１３の組み立て時に電気配線用の穴や通路を加工することなく、所定の位置に電気配線の挿通路１５を確保することができる。また、第２背面パネル１２の設置前に挿通路１５に電気配線又は呼び線を挿通させておけば、第２背面パネル１２を設置するだけで電気配線又は呼び線も所定の位置に配することができるため、後に行う配線作業の手間を削減して配線作業を容易に行うことができる。従って、本実施形態１によれば、新たなキッチン２の施工工期を短縮することができる。
【０１０４】
また、本実施形態１では、第２背面パネル１２に設けられた挿通路１５が、キッチン２の上面の上方から下方に亘って形成されている。そのため、キッチン２の内部に配された電気配線をキッチン２の上方の位置まで容易に引き出すことができる。よって、本実施形態１によれば、給湯器の操作パネル、照明のスイッチ、キッチン備え付けの食洗機の操作パネル等の操作機器や電源コンセントを容易に機能パネルに取り付けることができる。
【０１０５】
また、本実施形態１では、第２背面パネル１２に電気配線の挿通路１５が複数形成されている。そのため、複数の電気機器の操作機器（照明スイッチ８１ｂ、給湯器の操作パネル８２）や電源コンセント８１ａを機能パネルに取り付けることができる。
【０１０６】
また、本実施形態１では、コンロ５の上方に設けられる換気フード７０が取り付けられた第１背面パネル１１を、キッチン２側の前面が不燃材で構成された不燃性を有するパネルで構成することとした。これにより、コンロ５周辺の防火性能を高めることができる。
【０１０７】
また、本実施形態１では、天井Ｃまで延ばした第１背面パネル１１を、大きな１枚のパネルで構成するのではなく、２枚のパネル（下側パネル１１ａと上側パネル１１ｂ）を連結させて用いることとしている。部材が大きすぎると、取り付け時に一人で支持できず、複数人で支持する必要が生じるが、上記構成によれば、搬入作業及び施工作業を一人で容易に行うことができる。
【０１０８】
ところで、第１背面パネル１１と収納ユニット２０とに亘るダクトユニット４０を設けると、ダクトユニット４０の影によって下方での作業がし辛くなるおそれがある。
【０１０９】
そこで、本実施形態１では、第１背面パネル１１と収納ユニット２０とに架け渡されたダクトユニット４０にダウンライト４２を内蔵させることとした。これにより、ダクトユニット４０を設けても明るい作業空間を形成することができる。
【０１１０】
また、本実施形態１では、収納ユニット２０を、キッチン２よりも幅狭の家電収納ユニット２１と、該家電収納ユニット２１の側方に設けられて前面が開口して冷蔵庫Ｒを収容可能に構成された箱状の冷蔵庫ユニット２２とで構成することとした。このように、収納ユニット２０を、家電や冷蔵庫を収納可能に構成することにより、キッチン２で必要な種々の道具や家電を、キッチン空間にコンパクトに納めることができる。
【０１１１】
《その他の実施形態》
上記実施形態１では、収納ユニット２０と配管ユニット３０とは、既設の配管と新たなキッチン２とを接続する接続管６１〜６４の一部をそれぞれ挿通させることにより、上記接続管６１〜６４を覆い隠すように構成されていた。しかしながら、収納ユニット２０と配管ユニット３０とは、接続管６１〜６４を挿通させるのではなく、内蔵することによって接続管６１〜６４を覆い隠すように構成されていてもよい。例えば、接続管６１〜６４を、連結可能な第１部分と第２部分とで構成し、収納ユニット２０に第１部分を内蔵させ、配管ユニット３０に第２部分を内蔵させ、収納ユニット２０の設置後、第１部分と第２部分とが連結されるように配管ユニット３０を設置するようにしてもよい。
【０１１２】
また、上記実施形態１では、キッチン反転化ユニット１は、第１〜第３背面パネル１１〜１３と、サイドパネル１４とを有するパネルユニット１０を備えていたが、キッチン反転化ユニット１は、第１背面パネル１１を備えるものであればよく、第２及び第３背面パネル１２，１３とサイドパネル１４を備えないものであってもよい。
【０１１３】
また、上記実施形態１では、キッチン反転化ユニット１を用いて、壁付式キッチンＫを対面式のキッチン２にリフォームする例について説明したが、キッチン反転化ユニット１の用途はこれに限られない。背面Ｋｂが第１壁面Ｗ１に当接する壁付式キッチンＫを除去し、第１壁面Ｗ１に対向する第３壁面Ｗ３に背面２ａが当接するように新たなキッチン２を設置する場合にも、キッチン反転化ユニット１を適用可能である。このような場合にも、床材や天井材を取り外す等の造作工事を行うことなく、既存の壁付式キッチンＫとは逆向きに新たなキッチン２を施工するリフォーム工事を容易に且つ短工期で行うことができる。
【０１１４】
また、上記実施形態１では、第１背面パネル１１は、前面が不燃材で構成されていたが、前面だけでなく、基材が不燃材で構成されたものであってもよい。また、第１背面パネル１１は、前面が難燃材で構成された難燃性を有するパネルであってもよい。さらに、第１背面パネル１１は、前面だけでなく、基材も難燃材で構成されたものであってもよい。
【０１１５】
また、上記実施形態１では、第１背面パネル１１を、下側パネル１１ａと上側パネル１１ｂの２枚のパネルで構成していたが、第１背面パネル１１は、１枚のパネルで構成されていてもよい。
【０１１６】
また、上記実施形態１では、第２背面パネル１２に、２つの挿通路１５が形成されていたが、挿通路１５の数はこれに限定されない。第２背面パネル１２に形成する挿通路１５の数は、１つでも３つ以上であってもよい。
【０１１７】
また、上記実施形態１では、収納ユニット２０を、家電収納ユニット２１と冷蔵庫ユニット２２とで構成していた。しかしながら、収納ユニット２０の構成は、これに限られない。収納ユニット２０は、自立する構成であり、第１及び第２壁面Ｗ１，Ｗ２との間に各接続管６１〜６４の第１部分を挿通させる挿通空間５０を確保できる収納家具であればいかなるものであってもよい。収納ユニット２０は、１つの収納家具で構成してもよく、第１壁面Ｗ１に沿って並ぶ複数の収納家具で構成してもよい。
【０１１８】
また、上記実施形態１では、ダクトユニット４０は、排気ダクト６５を覆い隠すと共に支持するダクトカバー４１で構成されていたが、ダクトユニット４０は、排気通路４０ａを内包し、第１背面パネル１１と収納ユニット２０とに架け渡されて横架材として機能するものであればいかなるものであってもよい。ダクトユニット４０を、排気ダクト６５が内蔵された構造体で構成してもよい。この場合、例えば、収納ユニット２０を設置する際に、第１壁面Ｗ１に設けられた既存の排気口に、排気ダクト６５と排気口とを繋ぐ連結用ダクトを取り付けておき、ダクトユニット４０の設置時に上記連結用ダクトにダクトユニット４０に内蔵された排気ダクト６５を連結することにより、排気口との連結が可能になる。
【産業上の利用可能性】
【０１１９】
本発明は、既存の壁付式キッチンとは逆向きに新たなキッチンを施工するためのキッチン反転化ユニットに有用である。
【符号の説明】
【０１２０】
１      キッチン反転化ユニット
２      キッチン
２ａ    背面
１１      第１背面パネル
１１ａ    下側パネル
１１ｂ    上側パネル
１２      第２背面パネル
１３      第３背面パネル
１５      挿通路
１５ａ    上端
１５ｂ    下端
２０      収納ユニット
２１      家電収納ユニット
２２      冷蔵庫ユニット
３０      配管ユニット
４０      ダクトユニット
４０ａ    排気通路
４１      ダクトカバー
４２      ダウンライト
６５      排気ダクト
７０      換気フード
Ｗ１      第１壁面
Ｗ２      第２壁面
【図１】
2020103583.tif 000003
【図２】
2020103583.tif 000004
【図３】
2020103583.tif 000005
【図４】
2020103583.tif 000006
【図５】
2020103583.tif 000007
【図６】
2020103583.tif 000008
【図７】
2020103583.tif 000009